(57)【要約】【課題】バイパス弁の開度調節を自動制御で行うことにより、空調装置の性能の安定化と調整費の削減を行うことができる空調装置を提供すること。【解決手段】空気吸入口１と空気排出口２とが形成された筐体３と、空気吸入口１に配設された冷却コイル４と、冷却コイル４の下流側に配設された電気ヒータ５と、空気排出口２から筐体３内の空気を排出する送風機６とを備えた空調装置において、冷却コイル４を通さずに筐体３に空気を取り入れるバイパス空気吸入口７と、バイパス空気吸入口７の開度を調節するバイパス弁８とを設けるとともに、冷却コイル４の上流側流路と下流側流路の差圧を検出し、差圧に基づいて、空気吸入口１を通過する風量が一定になるように、バイパス空気吸入口７のバイパス弁８の開度を調節する弁制御回路１０を設ける。【選択図】図１
2007247936.tif 000002
【特許請求の範囲】
【請求項１】
空気吸入口と空気排出口とが形成された筐体と、空気吸入口に配設された冷却コイルと、冷却コイルの下流側に配設された電気ヒータと、空気排出口から筐体内の空気を排出する送風機とを備えた空調装置において、冷却コイルを通さずに筐体に空気を取り入れるバイパス空気吸入口と、該バイパス空気吸入口の開度を調節するバイパス弁とを設けるとともに、冷却コイルの上流側流路と下流側流路の差圧を検出し、該差圧に基づいて、空気吸入口を通過する風量が一定になるように、前記バイパス空気吸入口のバイパス弁の開度を調節する弁制御回路を設けたことを特徴とする空調装置。
【請求項２】
空気吸入口と空気排出口とが形成された筐体と、空気吸入口に配設された冷却コイルと、冷却コイルの下流側に配設された電気ヒータと、空気排出口から筐体内の空気を排出する送風機とを備えた空調装置において、冷却コイルを通さずに筐体に空気を取り入れるバイパス空気吸入口と、該バイパス空気吸入口の開度を調節するバイパス弁とを設けるとともに、冷却コイルの冷媒圧力を検出し、該冷媒圧力に基づいて、空気吸入口を通過する風量が一定になるように、前記バイパス空気吸入口のバイパス弁の開度を調節する弁制御回路を設けたことを特徴とする空調装置。
【請求項３】
空気吸入口と空気排出口とが形成された筐体と、空気吸入口に配設された冷却コイルと、冷却コイルの下流側に配設された電気ヒータと、空気排出口から筐体内の空気を排出する送風機とを備えた空調装置において、冷却コイルを通さずに筐体に空気を取り入れるバイパス空気吸入口と、該バイパス空気吸入口の開度を調節するバイパス弁とを設けるとともに、冷却コイルの冷媒温度を検出し、該冷媒温度に基づいて、空気吸入口を通過する風量が一定になるように、前記バイパス空気吸入口のバイパス弁の開度を調節する弁制御回路を設けたことを特徴とする空調装置。
【請求項４】
空気吸入口と空気排出口とが形成された筐体と、空気吸入口に配設された冷却コイルと、冷却コイルの下流側に配設された電気ヒータと、空気排出口から筐体内の空気を排出する送風機とを備えた空調装置において、冷却コイルを通さずに筐体に空気を取り入れるバイパス空気吸入口と、該バイパス空気吸入口の開度を調節するバイパス弁とを設けるとともに、冷却コイルの冷凍機の電流値を検出し、該電流値に基づいて、空気吸入口を通過する風量が一定になるように、前記バイパス空気吸入口のバイパス弁の開度を調節する弁制御回路を設けたことを特徴とする空調装置。
【請求項５】
送風機の電流値を検出し、該電流値に基づいて、空気排出口から出る風量が一定になるように送風機を制御する送風制御回路を設けたことを特徴とする請求項１、２、３又は４記載の空調装置。
【発明の詳細な説明】
【技術分野】
【０００１】
本発明は、空調装置に関し、特に、バイパス空気吸入口を設けた空調装置において、バイパス弁の開度調節を自動制御で行うことにより、空調装置の性能の安定化と調整費の削減を行うことができる空調装置に関するものである。
【背景技術】
【０００２】
従来、空調装置は、例えば、空気吸入口と空気排出口とが形成された筐体と、空気吸入口に配設された冷却コイルと、冷却コイルの下流側に配設された電気ヒータと、空気排出口から筐体内の空気を排出する送風機と、空気排出口に配設された温度センサとを備え、空気吸入口から冷却コイルにより冷却しながら取り入れた外気を、下流側に配設した電気ヒータによって精密に設定温度に調節し、空気排出口から排出するようにしている。
【０００３】
ところで、このような空調装置において、例えば風量を２倍にする場合は、冷却コイルやその冷凍機、電気ヒータをそれぞれ２倍の能力に変更している。
しかしながら、この種の空調装置では、冷却コイルで一旦冷却した外気を下流側の電気ヒータで加熱することによって精密に温度調節することから、冷却負荷のない外気条件でも冷却コイルと電気ヒータは作動しており、上記のように風量に合わせて冷却コイルや電気ヒータを大きくすると、過大な冷却能力と再熱能力を搭載することになり、イニシャルコストとランニングコストの両方に無駄が非常に多くなる。
また、外気温度が大きく低下したり、冷凍機への給水温度が大きく低下した場合に、冷却能力が過大になり、冷却コイル部で凍結が生じる場合がある。
【０００４】
そこで、本件出願人は、冷却コイルや冷凍機、電気ヒータを大きくすることなく風量増加に対応するようにした空調装置を考案した。
この空調装置は、図５に示すように、空気吸入口１と空気排出口２とが形成された筐体３と、空気吸入口１に配設された冷却コイル４と、冷却コイル４の下流側に配設された電気ヒータ５と、空気排出口２から筐体３内の空気を排出する送風機６とを備えた空調装置において、冷却コイル４を通さずに筐体３に空気を取り入れるバイパス空気吸入口７と、該バイパス空気吸入口７の開度を調節するバイパス弁８とを設けている。
この空調装置は、冷却コイル４を通過する風量を一定量とし、バイパス空気吸入口７を通る風量を調節することにより、空気排出口２から出る風量を増大させることができ、これにより、冷却コイル４や冷凍機９、電気ヒータ５を大きくすることなく風量増加に対応し、省エネルギー化を図るとともに、空調装置のイニシャルコストやランニングコストを低減することができる。
また、外気温度が大きく低下したり、冷凍機への給水温度が大きく低下した場合にも、バイパス空気吸入口７の風量を少なくするとともに、冷却コイル４を通過する風量を多くすることによって、冷却コイル部で凍結が生じることを防止し、併せて必要風量を一定にすることによって、熱負荷を一定にし、冷凍機９の安定した運転ができる。
【０００５】
ところで、この空調装置では、空気排出口から出る風量を設定する場合は、冷却コイルを通過する風量を一定量とするために、バイパス空気吸入口のバイパス弁の開度を調節するが、このバイパス弁の開度調節を手動で行うのは非常に困難であった。
【発明の開示】
【発明が解決しようとする課題】
【０００６】
本発明は、上記従来の空調装置が有する問題点に鑑み、バイパス空気吸入口を設けた空調装置において、バイパス弁の開度調節を自動制御で行うことにより、空調装置の性能の安定化と調整費の削減を行うことができる空調装置を提供することを目的とする。
【課題を解決するための手段】
【０００７】
上記目的を達成するため、本第１発明の空調装置は、空気吸入口と空気排出口とが形成された筐体と、空気吸入口に配設された冷却コイルと、冷却コイルの下流側に配設された電気ヒータと、空気排出口から筐体内の空気を排出する送風機とを備えた空調装置において、冷却コイルを通さずに筐体に空気を取り入れるバイパス空気吸入口と、該バイパス空気吸入口の開度を調節するバイパス弁とを設けるとともに、冷却コイルの上流側流路と下流側流路の差圧を検出し、該差圧に基づいて、空気吸入口を通過する風量が一定になるように、前記バイパス空気吸入口のバイパス弁の開度を調節する弁制御回路を設けたことを特徴とする。
【０００８】
また、同じ目的を達成するため、本第２発明の空調装置は、空気吸入口と空気排出口とが形成された筐体と、空気吸入口に配設された冷却コイルと、冷却コイルの下流側に配設された電気ヒータと、空気排出口から筐体内の空気を排出する送風機とを備えた空調装置において、冷却コイルを通さずに筐体に空気を取り入れるバイパス空気吸入口と、該バイパス空気吸入口の開度を調節するバイパス弁とを設けるとともに、冷却コイルの冷媒圧力を検出し、該冷媒圧力に基づいて、空気吸入口を通過する風量が一定になるように、前記バイパス空気吸入口のバイパス弁の開度を調節する弁制御回路を設けたことを特徴とする。
【０００９】
また、同じ目的を達成するため、本第３発明の空調装置は、空気吸入口と空気排出口とが形成された筐体と、空気吸入口に配設された冷却コイルと、冷却コイルの下流側に配設された電気ヒータと、空気排出口から筐体内の空気を排出する送風機とを備えた空調装置において、冷却コイルを通さずに筐体に空気を取り入れるバイパス空気吸入口と、該バイパス空気吸入口の開度を調節するバイパス弁とを設けるとともに、冷却コイルの冷媒温度を検出し、該冷媒温度に基づいて、空気吸入口を通過する風量が一定になるように、前記バイパス空気吸入口のバイパス弁の開度を調節する弁制御回路を設けたことを特徴とする。
【００１０】
また、同じ目的を達成するため、本第４発明の空調装置は、空気吸入口と空気排出口とが形成された筐体と、空気吸入口に配設された冷却コイルと、冷却コイルの下流側に配設された電気ヒータと、空気排出口から筐体内の空気を排出する送風機とを備えた空調装置において、冷却コイルを通さずに筐体に空気を取り入れるバイパス空気吸入口と、該バイパス空気吸入口の開度を調節するバイパス弁とを設けるとともに、冷却コイルの冷凍機の電流値を検出し、該電流値に基づいて、空気吸入口を通過する風量が一定になるように、前記バイパス空気吸入口のバイパス弁の開度を調節する弁制御回路を設けたことを特徴とする。
【００１１】
この場合において、送風機の電流値を検出し、該電流値に基づいて、空気排出口から出る風量が一定になるように送風機を制御する送風制御回路を設けることができる。
【発明の効果】
【００１２】
本第１発明の空調装置によれば、空気吸入口と空気排出口とが形成された筐体と、空気吸入口に配設された冷却コイルと、冷却コイルの下流側に配設された電気ヒータと、空気排出口から筐体内の空気を排出する送風機とを備えた空調装置において、冷却コイルを通さずに筐体に空気を取り入れるバイパス空気吸入口と、該バイパス空気吸入口の開度を調節するバイパス弁とを設けるとともに、冷却コイルの上流側流路と下流側流路の差圧を検出し、該差圧に基づいて、空気吸入口を通過する風量が一定になるように、前記バイパス空気吸入口のバイパス弁の開度を調節する弁制御回路を設けることから、空気排出口から出る風量を設定する場合に、冷却コイルの上流側流路と下流側流路の差圧に基づいて空気吸入口の通過風量が一定になるようにバイパス弁の開度調節を自動制御で行うことができ、これにより、空調装置の性能の安定化と調整費の削減を行うことができる。
【００１３】
また、本第２発明の空調装置によれば、空気吸入口と空気排出口とが形成された筐体と、空気吸入口に配設された冷却コイルと、冷却コイルの下流側に配設された電気ヒータと、空気排出口から筐体内の空気を排出する送風機とを備えた空調装置において、冷却コイルを通さずに筐体に空気を取り入れるバイパス空気吸入口と、該バイパス空気吸入口の開度を調節するバイパス弁とを設けるとともに、冷却コイルの冷媒圧力を検出し、該冷媒圧力に基づいて、空気吸入口を通過する風量が一定になるように、前記バイパス空気吸入口のバイパス弁の開度を調節する弁制御回路を設けることから、空気排出口から出る風量を設定する場合に、冷却コイルの冷媒圧力に基づいて空気吸入口の通過風量が一定になるようにバイパス弁の開度調節を自動制御で行うことができ、これにより、空調装置の性能の安定化と調整費の削減を行うことができる。
【００１４】
また、本第３発明の空調装置によれば、空気吸入口と空気排出口とが形成された筐体と、空気吸入口に配設された冷却コイルと、冷却コイルの下流側に配設された電気ヒータと、空気排出口から筐体内の空気を排出する送風機とを備えた空調装置において、冷却コイルを通さずに筐体に空気を取り入れるバイパス空気吸入口と、該バイパス空気吸入口の開度を調節するバイパス弁とを設けるとともに、冷却コイルの冷媒温度を検出し、該冷媒温度に基づいて、空気吸入口を通過する風量が一定になるように、前記バイパス空気吸入口のバイパス弁の開度を調節する弁制御回路を設けることから、空気排出口から出る風量を設定する場合に、冷却コイルの冷媒温度に基づいて空気吸入口の通過風量が一定になるようにバイパス弁の開度調節を自動制御で行うことができ、これにより、空調装置の性能の安定化と調整費の削減を行うことができる。
【００１５】
また、本第４発明の空調装置によれば、空気吸入口と空気排出口とが形成された筐体と、空気吸入口に配設された冷却コイルと、冷却コイルの下流側に配設された電気ヒータと、空気排出口から筐体内の空気を排出する送風機とを備えた空調装置において、冷却コイルを通さずに筐体に空気を取り入れるバイパス空気吸入口と、該バイパス空気吸入口の開度を調節するバイパス弁とを設けるとともに、冷却コイルの冷凍機の電流値を検出し、該電流値に基づいて、空気吸入口を通過する風量が一定になるように、前記バイパス空気吸入口のバイパス弁の開度を調節する弁制御回路を設けることから、空気排出口から出る風量を設定する場合に、冷凍機の電流値に基づいて空気吸入口の通過風量が一定になるようにバイパス弁の開度調節を自動制御で行うことができ、これにより、空調装置の性能の安定化と調整費の削減を行うことができる。
【００１６】
この場合、送風機の電流値を検出し、該電流値に基づいて、空気排出口から出る風量が一定になるように送風機を制御する送風制御回路を設けることにより、空調装置の設定風量を自動制御により運転中一定に保つことができる。
【発明を実施するための最良の形態】
【００１７】
以下、本発明の空調装置の実施の形態を、図面に基づいて説明する。
【実施例１】
【００１８】
図１に、本発明の空調装置の第１実施例を示す。
この空調装置は、空気吸入口１と空気排出口２とが形成された筐体３と、空気吸入口１に配設された冷却コイル４と、冷却コイル４の下流側に配設された電気ヒータ５と、空気排出口２から筐体３内の空気を排出する送風機６とを備えている。
そして、この空調装置は、冷却コイル４を通さずに筐体３に空気を取り入れるバイパス空気吸入口７と、該バイパス空気吸入口７の開度を調節するバイパス弁８とを設けるとともに、冷却コイル４の上流側流路と下流側流路の差圧を検出し、該差圧に基づいて、空気吸入口１を通過する風量が一定になるように、前記バイパス空気吸入口７のバイパス弁８の開度を調節する弁制御回路１０を設けている。
【００１９】
空調装置は、筐体３の下に冷却コイル４を作動させる冷凍機９を設置するとともに、筐体３の下部に空気吸入口１を形成している。
空気吸入口１の下流側には冷却コイル４が配設され、冷却コイル４の下流側には電気ヒータ５が配設されている。
筐体３の上面には空気排出口２が形成され、該空気排出口２には、空気吸入口１から取り入れた空気を排出する送風機６が設置されている。空調装置の風量は、この送風機６の出力を切り替えることにより複数の段階に設定することができる。
なお、送風機６の下流側には、温度センサ（図示省略）が設置されており、該温度センサが検出する空気の温度と設定温度に基づいて、電気ヒータ５の出力が制御される。
【００２０】
バイパス空気吸入口７は、空気吸入口１と同じ側で筐体３の上部に設置されており、該バイパス空気吸入口７は、その開度を調節するバイパス弁８を備えている。
バイパス弁８は、送風機６の風量を設定する際に、空気吸入口１すなわち冷却コイル４と電気ヒータ５を通過する風量が常に一定量となるように、バイパス空気吸入口７を通る風量を調節する。
例えば、空調装置の風量設定が１０ｍ３／ｍｉｎと小さい場合は、バイパス弁８を閉じて、バイパス空気吸入口７を通過する風量を０とするとともに、空気吸入口１を通過する風量を１０ｍ３／ｍｉｎとする。
また、空調装置の風量設定を２０ｍ３／ｍｉｎとした場合は、バイパス弁８を開けて、バイパス空気吸入口７を通過する風量を１０ｍ３／ｍｉｎとするとともに、空気吸入口１を通過する風量を１０ｍ３／ｍｉｎに維持する。
また、空調装置の風量設定を３０ｍ３／ｍｉｎとした場合は、バイパス弁８をさらに大きく開け、バイパス空気吸入口７を通過する風量を２０ｍ３／ｍｉｎとするとともに、空気吸入口１を通過する風量を１０ｍ３／ｍｉｎに維持する。
【００２１】
弁制御回路１０は、バイパス弁８を駆動する弁駆動装置８１と、冷却コイル４の上流側流路と下流側流路の差圧を検出する差圧計４１と、該差圧計４１の検出値に基づいて弁駆動装置８１を制御する調節器１４とを備え、冷却コイル４の圧力損失をフィードバックすることにより、バイパス空気吸入口７のバイパス弁８の開度を自動調節する。
空気吸入口１の通過風量が多い場合は差圧が上昇し、逆に、通過風量が少ない場合は差圧が低下する。
これにより、風量設定を上記のように設定したり変更したりする場合でも、冷却コイル４の上流側流路と下流側流路の差圧に基づいて、空気吸入口１の通過風量が一定になるようにバイパス弁８の開度調節を自動制御で行うことができる。
【００２２】
また、図では省略しているが、送風機６の電流値を検出し、該電流値に基づいて、空気排出口２から出る風量が一定になるように、インバータの出力周波数を変動し送風機６を制御する送風制御回路が設けられており、これにより、空調装置の設定風量を自動制御により運転中一定に保つようにしている。
【００２３】
次に、本実施例の空調装置の動作を説明する。
設定温度と風量を設定し、空調装置をＯＮにすると、送風機６が駆動するとともに、弁制御回路１０が冷却コイル４の圧力損失をフィードバックすることにより、空気吸入口１の通過風量が一定になるようにバイパス弁８の開度が自動調節される。
また、空気排出口２から出る風量は、送風機６の電流値をフィードバックすることにより、運転中一定に保持される。
これにより、空気吸入口１とバイパス空気吸入口７から例えば１対１の外気が正確に筐体３内に導入され、空気排出口２から排出される。
この場合、バイパス空気吸入口７から導入された外気はそのままの温度であり、空気吸入口１から導入された外気は、冷却コイル４と電気ヒータ５によって温度調節される。
これら空気吸入口１とバイパス空気吸入口７から導入された空気は、筐体３内で混合され、空気排出口２を介してクリーンブース等に送られるが、空気排出口２の温度センサ（図示省略）によって、この混合された空気の温度が検出される。
そして、この温度センサの検出温度が設定温度になるように、電気ヒータ５の制御が行われる。
【００２４】
かくして、本第１実施例の空調装置は、空気吸入口１と空気排出口２とが形成された筐体３と、空気吸入口１に配設された冷却コイル４と、冷却コイル４の下流側に配設された電気ヒータと、空気排出口２から筐体３内の空気を排出する送風機６とを備えた空調装置において、冷却コイル４を通さずに筐体３に空気を取り入れるバイパス空気吸入口７と、該バイパス空気吸入口７の開度を調節するバイパス弁８とを設けるとともに、冷却コイル４の上流側流路と下流側流路の差圧を検出し、該差圧に基づいて、空気吸入口１を通過する風量が一定になるように、前記バイパス空気吸入口７のバイパス弁８の開度を調節する弁制御回路を設けることから、空気排出口２から出る風量を設定する場合に、冷却コイル４の上流側流路と下流側流路の差圧に基づいて空気吸入口１の通過風量が一定になるようにバイパス弁８の開度調節を自動制御で行うことができ、これにより、空調装置の性能の安定化と調整費の削減を行うことができる。
この場合、送風機６の電流値を検出し、該電流値に基づいて、空気排出口２から出る風量が一定になるように送風機６を制御する送風制御回路を設けることにより、空調装置の設定風量を自動制御により運転中一定に保つことができる。
【実施例２】
【００２５】
図２に、本発明の空調装置の第２実施例を示す。
この空調装置は、空気吸入口１と空気排出口２とが形成された筐体３と、空気吸入口１に配設された冷却コイル４と、冷却コイル４の下流側に配設された電気ヒータ５と、空気排出口２から筐体３内の空気を排出する送風機６とを備えている。
そして、この空調装置は、冷却コイル４を通さずに筐体３に空気を取り入れるバイパス空気吸入口７と、該バイパス空気吸入口７の開度を調節するバイパス弁８とを設けるとともに、冷却コイル４の冷媒圧力を検出し、該冷媒圧力に基づいて、空気吸入口１を通過する風量が一定になるように、前記バイパス空気吸入口７のバイパス弁８の開度を調節する弁制御回路１１を設けている。
【００２６】
弁制御回路１１は、バイパス弁８を駆動する弁駆動装置８１と、冷却コイル４の冷媒圧力を検出する圧力センサ４２と、該圧力センサ４２の検出値に基づいて弁駆動装置８１を制御する調節器１４とを備え、凝縮側の冷媒回路の冷媒圧力をフィードバックすることにより、バイパス空気吸入口７のバイパス弁８の開度を自動調節する。
空気吸入口１の通過風量が多い場合は、熱負荷が上がるため冷媒圧力が上昇し、逆に、通過風量が少ない場合は、熱負荷が下がるため冷媒圧力が低下する。
これにより、風量設定を設定したり変更したりする場合でも、前記冷媒圧力に基づいて、空気吸入口１の通過風量が一定になるようにバイパス弁８の開度調節を自動制御で行うことができる。
なお、弁制御回路１１を除く構成は、第１実施例と同様であるため、説明を省略する。
【００２７】
かくして、本第２実施例の空調装置は、空気吸入口１と空気排出口２とが形成された筐体３と、空気吸入口１に配設された冷却コイル４と、冷却コイル４の下流側に配設された電気ヒータ５と、空気排出口２から筐体３内の空気を排出する送風機６とを備えた空調装置において、冷却コイル４を通さずに筐体３に空気を取り入れるバイパス空気吸入口７と、該バイパス空気吸入口７の開度を調節するバイパス弁８とを設けるとともに、冷却コイル４の冷媒圧力を検出し、該冷媒圧力に基づいて、空気吸入口１を通過する風量が一定になるように、前記バイパス空気吸入口７のバイパス弁８の開度を調節する弁制御回路を設けることから、空気排出口２から出る風量を設定する場合に、冷却コイル４の冷媒圧力に基づいて空気吸入口１の通過風量が一定になるようにバイパス弁８の開度調節を自動制御で行うことができ、これにより、空調装置の性能の安定化と調整費の削減を行うことができる。
この場合、送風機６の電流値を検出し、該電流値に基づいて、空気排出口２から出る風量が一定になるように送風機６を制御する送風制御回路を設けることにより、空調装置の設定風量を自動制御により運転中一定に保つことができる。
【実施例３】
【００２８】
図３に、本発明の空調装置の第３実施例を示す。
この空調装置は、空気吸入口１と空気排出口２とが形成された筐体３と、空気吸入口１に配設された冷却コイル４と、冷却コイル４の下流側に配設された電気ヒータ５と、空気排出口２から筐体３内の空気を排出する送風機６とを備えている。
そして、この空調装置は、冷却コイル４を通さずに筐体３に空気を取り入れるバイパス空気吸入口７と、該バイパス空気吸入口７の開度を調節するバイパス弁８とを設けるとともに、冷却コイル４の冷媒温度を検出し、該冷媒温度に基づいて、空気吸入口１を通過する風量が一定になるように、前記バイパス空気吸入口７のバイパス弁８の開度を調節する弁制御回路１２を設けている。
【００２９】
弁制御回路１２は、バイパス弁８を駆動する弁駆動装置８１と、冷却コイル４の冷媒温度を検出する温度センサ４３と、該温度センサ４３の検出値に基づいて弁駆動装置８１を制御する調節器１４とを備え、凝縮側の冷媒回路の配管温度（過熱度）をフィードバックすることにより、バイパス空気吸入口７のバイパス弁８の開度を自動調節する。
空気吸入口１の通過風量が多い場合は、熱負荷が上がるため冷媒温度が上昇し、逆に、通過風量が少ない場合は、熱負荷が下がるため冷媒温度が低下する。
これにより、風量設定を設定したり変更したりする場合でも、前記冷媒温度に基づいて、空気吸入口１の通過風量が一定になるようにバイパス弁８の開度調節を自動制御で行うことができる。
なお、弁制御回路１２を除く構成は、第１実施例と同様であるため、説明を省略する。
【００３０】
かくして、本第３実施例の空調装置は、空気吸入口１と空気排出口２とが形成された筐体３と、空気吸入口１に配設された冷却コイル４と、冷却コイル４の下流側に配設された電気ヒータ５と、空気排出口２から筐体３内の空気を排出する送風機６とを備えた空調装置において、冷却コイル４を通さずに筐体３に空気を取り入れるバイパス空気吸入口７と、該バイパス空気吸入口７の開度を調節するバイパス弁８とを設けるとともに、冷却コイル４の冷媒温度を検出し、該冷媒温度に基づいて、空気吸入口１を通過する風量が一定になるように、前記バイパス空気吸入口７のバイパス弁８の開度を調節する弁制御回路を設けることから、空気排出口２から出る風量を設定する場合に、冷却コイル４の冷媒温度に基づいて空気吸入口１の通過風量が一定になるようにバイパス弁８の開度調節を自動制御で行うことができ、これにより、空調装置の性能の安定化と調整費の削減を行うことができる。
この場合、送風機６の電流値を検出し、該電流値に基づいて、空気排出口２から出る風量が一定になるように送風機６を制御する送風制御回路を設けることにより、空調装置の設定風量を自動制御により運転中一定に保つことができる。
【実施例４】
【００３１】
図４に、本発明の空調装置の第４実施例を示す。
この空調装置は、空気吸入口１と空気排出口２とが形成された筐体３と、空気吸入口１に配設された冷却コイル４と、冷却コイル４の下流側に配設された電気ヒータ５と、空気排出口２から筐体３内の空気を排出する送風機６とを備えている。
そして、この空調装置は、冷却コイル４を通さずに筐体３に空気を取り入れるバイパス空気吸入口７と、該バイパス空気吸入口７の開度を調節するバイパス弁８とを設けるとともに、冷却コイル４の冷凍機９の電流値を検出し、該電流値に基づいて、空気吸入口１を通過する風量が一定になるように、前記バイパス空気吸入口７のバイパス弁８の開度を調節する弁制御回路１３を設けている。
【００３２】
弁制御回路１３は、バイパス弁８を駆動する弁駆動装置８１と、冷凍機９の電流値を検出する電流センサ９１と、該電流センサ９１の検出値に基づいて弁駆動装置８１を制御する調節器１４とを備え、冷凍機９の電流値をフィードバックすることにより、バイパス空気吸入口７のバイパス弁８の開度を自動調節する。
空気吸入口１の通過風量が多い場合は、熱負荷が上がるため電流値が上昇し、逆に、通過風量が少ない場合は、熱負荷が下がるため電流値が低下する。
これにより、風量設定を設定したり変更したりする場合でも、前記冷凍機９の電流値に基づいて、空気吸入口１の通過風量が一定になるようにバイパス弁８の開度調節を自動制御で行うことができる。
なお、弁制御回路１３を除く構成は、第１実施例と同様であるため、説明を省略する。
【００３３】
かくして、本第４実施例の空調装置は、空気吸入口１と空気排出口２とが形成された筐体３と、空気吸入口１に配設された冷却コイル４と、冷却コイル４の下流側に配設された電気ヒータ５と、空気排出口２から筐体３内の空気を排出する送風機６とを備えた空調装置において、冷却コイル４を通さずに筐体３に空気を取り入れるバイパス空気吸入口７と、該バイパス空気吸入口７の開度を調節するバイパス弁８とを設けるとともに、冷却コイル４の冷凍機９の電流値を検出し、該電流値に基づいて、空気吸入口１を通過する風量が一定になるように、前記バイパス空気吸入口７のバイパス弁８の開度を調節する弁制御回路を設けることから、空気排出口２から出る風量を設定する場合に、冷凍機９の電流値に基づいて空気吸入口１の通過風量が一定になるようにバイパス弁８の開度調節を自動制御で行うことができ、これにより、空調装置の性能の安定化と調整費の削減を行うことができる。
この場合、送風機６の電流値を検出し、該電流値に基づいて、空気排出口２から出る風量が一定になるように送風機６を制御する送風制御回路を設けることにより、空調装置の設定風量を自動制御により運転中一定に保つことができる。
【００３４】
そして、上記本第２〜４実施例の空調装置については、空気吸入口１から取り入れる外気温度が大きく低下したり、冷凍機への給水温度が大きく低下した場合でも、空調装置の冷却能力が維持される結果、取り入れた空気温度が冷却コイル部で露点温度以下になり、冷却コイル部で凍結が生じることがある。これを防止するために、バイパス空気吸入口７からの風量を減少させるようにバイパス弁８の開度を調節し、空気吸入口１から取り入れる空気量を増加させることにより、取り入れた空気量に対する空調装置の冷却能力を減少させ、空気温度が露点温度以下にならないようにする。
次に、空気吸入口１から取り入れる外気温度や冷凍機への給水温度が元の温度まで上昇し回復したときには、バイパス弁８の開度を元に戻し、冷却コイル４を通過する風量を所定量にして、これを一定に保つように制御する。
【００３５】
以上、本発明の空調装置について、複数の実施例に基づいて説明したが、本発明は上記実施例に記載した構成に限定されるものではなく、その趣旨を逸脱しない範囲において適宜その構成を変更することができる。
【産業上の利用可能性】
【００３６】
本発明の空調装置は、バイパス空気吸入口を設けた空調装置において、バイパス弁の開度調節を自動制御で行うことにより、空調装置の性能の安定化と調整費の削減を行えることから、小型で低コスト、省エネルギーな空調装置として好適に用いることができる。
【図面の簡単な説明】
【００３７】
【図１】本発明の空調装置の第１実施例を示す断面図である。
【図２】本発明の空調装置の第２実施例を示す断面図である。
【図３】本発明の空調装置の第３実施例を示す断面図である。
【図４】本発明の空調装置の第４実施例を示す断面図である。
【図５】本件出願人の考案に係る空調装置の一例を示す断面図である。
【符号の説明】
【００３８】
１    空気吸入口
２    空気排出口
３    筐体
４    冷却コイル
４１  差圧計
４２  圧力センサ
４３  温度センサ
５    電気ヒータ
６    送風機
７    バイパス空気吸入口
８    バイパス弁
８１  弁駆動装置
９    冷凍機
９１  電流センサ
１０  弁制御回路（差圧）
１１  弁制御回路（冷媒圧力）
１２  弁制御回路（冷媒温度）
１３  弁制御回路（電流値）
１４  調節器
【図１】
2007247936.tif 000003
【図２】
2007247936.tif 000004
【図３】
2007247936.tif 000005
【図４】
2007247936.tif 000006
【図５】
2007247936.tif 000007